(57)【要約】  液体洗濯洗剤組成物であって、当該組成物の０．００１重量％〜５重量％の、アルデヒド含有芳香材料、ケトン含有芳香剤材料、又はこれらの混合物と、当該組成物の５重量％〜４０重量％の、２０〜４００の分子量を有し、かつ２０℃で５０％〜８０％のｅＲＨを有するアルコールと、当該組成物の１０重量％〜３０重量％の非アミン中和直鎖アルキルベンゼンスルホネートと、当該組成物の５重量％未満のヒドロキシル含有アミンと、当該組成物の０．５重量％〜１５重量％の水と、を含む、液体洗濯洗剤組成物。【特許請求の範囲】
【請求項１】
液体洗濯洗剤組成物であって、
−前記組成物の０．００１重量％〜５重量％の、アルデヒド含有芳香剤材料、ケトン含有芳香剤材料、又はこれらの混合物から選択される芳香剤材料と、
−前記組成物の５重量％〜４０重量％の、２０〜４００の分子量を有し、かつ本明細書に記載されたアルコールｅＲＨ試験を介して測定したときに２０℃で５０％〜８０％のｅＲＨを有するアルコールと、
−前記組成物の１０重量％〜３０重量％の非アミン中和直鎖アルキルベンゼンスルホネートと、
−前記組成物の５重量％未満のヒドロキシル含有アミンと、
−前記組成物の０．５重量％〜１５重量％の水と、
を含む、液体洗濯洗剤組成物。
【請求項２】
液体洗濯洗剤組成物であって、
−前記組成物の０．００１重量％〜２重量％の、アルデヒド芳香剤材料、ケトン芳香剤材料、又はこれらの混合物から選択される芳香剤材料と、
−前記組成物の５重量％〜４０重量％の、エチレングリコール、１，３プロパンジオール、１，２プロパンジオール、テトラメチレングリコール、ペンタメチレングリコール、ヘキサメチレングリコール、２，３−ブタンジオール、１，３ブタンジオール、ジエチレングリコール、トリエチレングリコール、ポリエチレングリコール、グリセロールホルマルジプロピレングリコール、ポリプロポレングリコール、ジプロピレングリコールｎ−ブチルエーテル、及びこれらの混合物を含む群から選択されるアルコール、好ましくは、１，２プロパンジオール、ジプロピレングリコール、ポリプロポレングリコール、２，３−ブタンジオール、ジプロピレングリコールｎ−ブチルエーテル、及びこれらの混合物を含む群から選択される溶媒と、
−前記組成物の１０重量％〜３０重量％の非アミン中和直鎖アルキルベンゼンスルホネートと、
−前記組成物の５重量％未満のヒドロキシル含有アミンと、
−前記組成物の０．５重量％〜１５重量％の水と、
を含む、液体洗濯洗剤組成物。
【請求項３】
前記芳香剤材料が、（２Ｅ，６Ｅ）−ノナ−２，６−ジエナール、２，６，１０−トリメチルウンデカ−９−エナール；１−メチル−４−（４−メチルペンタ−３−エニル）シクロヘキサ−３−エン−１−カルバルデヒド；（Ｅ）−１−（２，６，６−トリメチル−１−シクロヘキサ−２−エニル）ブタ−２−エン−１−オン；（Ｅ）−４−（２，６，６−トリメチル−１−シクロヘキサ−２−エニル）ブタ−３−エン−２−オン；２−ベンジリデンヘプタナール；（Ｅ）−１−（２，６，６−トリメチル−１−シクロヘキセニル）ブタ−２−エン−１−オン；４−（２，６，６−トリメチルシクロヘキサン−１−イル）ブタ−３−エン−２−オン；３−（４−ｔｅｒｔ−ブチルフェニル）プロパナール、（２Ｚ）−２−ベンジリデンヘキサナール；３−（４−メトキシフェニル）−２−メチルプロパナール；３，７−ジメチルオクタ−２，６−ジエナール；２−（３，７−ジメチルオクタ−６−エノキシ）アセトアルデヒド；３−（４−プロパン−２−イルフェニル）プロパナール；３−（４−プロパン−２−イルフェニル）ブタナール；（Ｅ）−１−（２，６，６−トリメチル−１−シクロヘキサ−１，３−ジエニル）ブタ−２−エン−１−オン；１−（２，６，６−トリメチル−１−シクロヘキサ−３−エニル）ブタ−２−エン−１−オン；４−エトキシ−３−ヒドロキシベンズアルデヒド；５−メチルヘプタ−２−エン−４−オン；３−（２−エチルフェニル）−２，２−ジメチルプロパナール；３−（３−イソプロピルフェニル）ブタナール；１−（５，５−ジメチル−１−シクロヘキセニル）ペンタ−４−エン−１−オン；（Ｅ）−３−メチル−４−（２，６，６−トリメチル−１−シクロヘキサ−２−エニル）ブタ−３−エン−２−オン；３−（１，３−ベンゾジオキソール−５−イル）−２−メチルプロパナール；１，３−ベンゾジオキソール−５−カルバルデヒド；２−（フェニルメチリデン）オクタナール；（Ｅ）−１−（２，４，４−トリメチルシクロヘキサ−２−エン−１−イル）ブタ−２−エン−１−オン；３−（４−メチル−１−シクロヘキサ−３−エニル）ブタナール；２，６−ジメチルヘプタ−５−エナール；６−メチルヘプタ−５−エン−２−オン；メチルフェニル）メチリデン］ヘプタナール；５，５−ジメチル−２，３，４，４ａ，６，７−ヘキサヒドロ−１Ｈ−ナフタレン−２−カルバルデヒド；２−［２−（４−メチル−１−シクロヘキサ−３−エニル）プロピル］シクロペンタン−１−オン；２，４−ジメチルシクロヘキサ−３−エン−１−カルバルデヒド；ウンデカ−１０−エナール；４−ヒドロキシ−３−メトキシベンズアルデヒド；４−メトキシベンズアルデヒド、及びこれらの混合物を含む群から選択される、請求項１又は２に記載の液体洗濯洗剤組成物。
【請求項４】
前記芳香剤材料が、（Ｅ）−１−（２，６，６−トリメチル−１−シクロヘキサ−２−エニル）ブタ−２−エン−１−オン；（Ｅ）−４−（２，６，６−トリメチル−１−シクロヘキサ−２−エニル）ブタ−３−エン−２−オン；（Ｅ）−１−（２，６，６−トリメチル−１−シクロヘキセニル）ブタ−２−エン−１−オン；４−（２，６，６−トリメチルシクロヘキサン−１−イル）ブタ−３−エン−２−オン；３，７−ジメチルオクタ−２，６−ジエナール；３−（４−プロパン−２−イルフェニル）ブタナール；（Ｅ）−１−（２，６，６−トリメチル−１−シクロヘキサ−１，３−ジエニル）ブタ−２−エン−１−オン；１−（２，６，６−トリメチル−１−シクロヘキサ−３−エニル）ブタ−２−エン−１−オン；４−エトキシ−３−ヒドロキシベンズアルデヒド；３−（２−エチルフェニル）−２，２−ジメチルプロパナール；３−（３−イソプロピルフェニル）ブタナール；１−（５，５−ジメチル−１−シクロヘキセニル）ペンタ−４−エン−１−オン；（Ｅ）−３−メチル−４−（２，６，６−トリメチル−１−シクロヘキサ−２−エニル）ブタ−３−エン−２−オン；１，３−ベンゾジオキソール−５−カルバルデヒド；２−（フェニルメチリデン）オクタナール；２，４−ジメチルシクロヘキサ−３−エン−１−カルバルデヒド；ウンデカ−１０−エナール；４−ヒドロキシ−３−メトキシベンズアルデヒド；４−メトキシベンズアルデヒド、及びこれらの混合物を含む群から選択される、請求項３に記載の液体洗濯洗剤組成物。
【請求項５】
前記アルデヒド含有芳香剤材料、ケトン含有芳香剤材料、又はこれらの混合物が、７５〜４５０、又は更には８０〜４００、又は更には８５〜３５０の分子量を有する、請求項１〜４のいずれか一項に記載の液体洗濯洗剤組成物。
【請求項６】
前記アルデヒド含有芳香剤材料、ケトン含有芳香剤材料、又はこれらの混合物が、０．２５〜７、又は更には０．５〜６．７５、又は更には０．７５〜６．５のｌｏｇＰを有する、請求項１〜５のいずれか一項に記載の液体洗濯洗剤組成物。
【請求項７】
前記アルデヒド含有芳香剤材料、ケトン含有芳香剤材料、又はこれらの混合物が、３．３×１０−３Ｐａ〜１．３×１０４Ｐａ（２．５×１０−５ｍｍＨｇ〜９．５×１０１ｍｍＨｇ）の２５℃における蒸気圧を有する、請求項１〜６のいずれか一項に記載の液体洗濯洗剤組成物。
【請求項８】
前記組成物の１５重量％〜２５重量％の前記非アミン中和直鎖アルキルベンゼンスルホネートを含む、請求項１〜７のいずれか一項に記載の液体洗濯洗剤組成物。
【請求項９】
前記非アミン中和直鎖アルキルベンゼンスルホネートが、Ｃ１０〜Ｃ１６直鎖アルキルベンゼンスルホネート若しくはＣ１１〜Ｃ１４直鎖アルキルベンゼンスルホネート、又はこれらの混合物である、請求項４に記載の液体洗濯洗剤組成物。
【請求項１０】
直鎖アルキルベンゼンスルホン酸ナトリウム、直鎖アルキルベンゼンスルホン酸カリウム、直鎖アルキルベンゼンスルホン酸マグネシウム、アルキル硫酸ナトリウム、アルキル硫酸カリウム、アルキル硫酸マグネシウム、又はこれらの混合物を含む、請求項１〜９のいずれか一項に記載の液体洗濯洗剤組成物。
【請求項１１】
他の非アミン中和アニオン性界面活性剤、好ましくは、非アミン中和エトキシ化アルキルサルフェートを含む、請求項１〜１０のいずれか一項に記載の液体洗濯洗剤組成物。
【請求項１２】
前記組成物が、前記組成物の５重量％〜２０重量％、又は更には５重量％〜１５重量％の前記アルコールを含む、請求項１〜１１のいずれか一項に記載の液体洗濯洗剤組成物。
【請求項１３】
前記組成物の０重量％〜５重量％、又は更には０．１重量％〜５重量％、又は更には０．１重量％〜４重量％の前記ヒドロキシル含有アミンを含み、好ましくは、前記ヒドロキシル含有アミンが、モノエタノールアミン、トリエタノールアミン、及びこれらの混合物を含む群から選択される、請求項１〜１２のいずれか一項に記載の液体洗濯洗剤組成物。
【請求項１４】
前記組成物の０重量％〜３０重量％の非イオン性界面活性剤を含み、好ましくは、前記非イオン性界面活性剤が、脂肪族アルコールエトキシレート、オキソ合成脂肪族アルコールエトキシレート、又はこれらの混合物を含む、請求項１〜１３のいずれか一項に記載の液体洗濯洗剤組成物。
【請求項１５】
界面活性剤を含む、請求項１〜１４のいずれか一項に記載の液体洗濯洗剤組成物。
【請求項１６】
補助成分を含み、前記補助成分が、漂白剤、漂白触媒、染料、色調染料、アルコキシル化ポリアミン及びポリエチレンイミンを含む洗浄ポリマー、汚れ放出ポリマー、界面活性剤、溶媒、移染抑制剤、キレート剤、酵素、香料、カプセル化香料、ポリカルボキシレートポリマー、セルロースポリマー、及びこれらの混合物を含む群から選択される、請求項１〜１５のいずれか一項に記載の液体洗濯洗剤組成物。
【請求項１７】
水溶性フィルムと、請求項１〜１６のいずれか一項に記載の洗剤組成物とを含む、水溶性単位用量物品。
【請求項１８】
前記単位用量物品が、少なくとも２つの区画、又は更には少なくとも３つの区画、又は更には少なくとも４つの区画を含む、請求項１４に記載の単位用量物品。
【発明の詳細な説明】
【技術分野】
【０００１】
本発明は、液体洗濯洗剤組成物及びその使用方法の分野である。
【背景技術】
【０００２】
業界では、使用する水の濃度を最小化する、いわゆる凝縮型液体を使用することに対する動きがある。このような液体洗濯洗剤組成物は、布地に清浄化効果を与えるために、直鎖アルキルベンゼンスルホネートなどのアニオン性界面活性剤の存在を必要とする。相安定性（すなわち、相分離しない組成物）凝縮型液体を形成するために、ヒドロキシル含有アミン化合物が使用されている。しかし、特定の香料材料、特に、アルデヒド及びケトン香料材料と反応して、組成物の望ましくない変色を生じさせるので、現在、凝縮型液体中のこのようなヒドロキシル含有アミン化合物の濃度を最小化することが望まれている。
【０００３】
配合者は、凝縮型液体洗濯洗剤組成物から消費者の好む香り体験を提供するために、このようなアルデヒド及びケトン材料を使用することを望む。しかし、ヒドロキシル含有アミン化合物を除去すると、組成物が相分離して、成分の洗浄液中への正確な投入において問題が生じる。
【発明の概要】
【発明が解決しようとする課題】
【０００４】
したがって、当該技術分野では、相安定性でありかつアルデヒド含有芳香剤、ケトン含有芳香剤、及びこれらの混合物を含む凝縮型液体が必要とされている。
【０００５】
驚くべきことに、本発明の凝縮型液体は、アルデヒド含有芳香剤、ケトン含有芳香剤、及びこれらの混合物を配合していながら相安定性であり、組成物の変色が最小限であることが見出された。
【課題を解決するための手段】
【０００６】
液体洗濯洗剤組成物であって、
−当該組成物の０．００１重量％〜５重量％の、アルデヒド含有芳香材料、ケトン含有芳香剤材料、又はこれらの混合物と、
−当該組成物の５重量％〜４０重量％の、２０〜４００の分子量を有し、かつ本明細書に記載されたアルコールｅＲＨ試験を介して測定したときに２０℃で５０％〜８０％のｅＲＨを有するアルコールと、
−当該組成物の１０重量％〜３０重量％の非アミン中和直鎖アルキルベンゼンスルホネートと、
−当該組成物の５重量％未満のヒドロキシル含有アミンと、
−当該組成物の０．５重量％〜１５重量％の水と、を含む、液体洗濯洗剤組成物。
【０００７】
液体洗濯洗剤組成物であって、
−当該組成物の０．００１重量％〜２重量％の、アルデヒド芳香剤材料、ケトン芳香剤材料、又はこれらの混合物と、
−当該組成物の５重量％〜４０重量％の、エチレングリコール、１，３プロパンジオール、１，２プロパンジオール、テトラメチレングリコール、ペンタメチレングリコール、ヘキサメチレングリコール、２，３−ブタンジオール、１，３ブタンジオール、ジエチレングリコール、トリエチレングリコール、ポリエチレングリコール、グリセロールホルマルジプロピレングリコール、ポリプロポレングリコール、ジプロピレングリコールｎ−ブチルエーテル、及びこれらの混合物を含む群から選択されるアルコール、好ましくは、１，２プロパンジオール、ジプロピレングリコール、ポリプロポレングリコール、２，３−ブタンジオール、ジプロピレングリコールｎ−ブチルエーテル、及びこれらの混合物を含む群から選択される溶媒と、
−当該組成物の１０重量％〜３０重量％の非アミン中和直鎖アルキルベンゼンスルホネートと、
−当該組成物の５重量％未満のヒドロキシル含有アミンと、
−当該組成物の０．５重量％〜１５重量％の水と、を含む、液体洗濯洗剤組成物。
【発明を実施するための形態】
【０００８】
本発明の液体洗濯洗剤組成物全体は、事実上液体である。すなわち、たとえ液相内に分散した固体を含んでいようと、当該組成物は、固体又は顆粒状組成物ではなく、液体の性質を有する。本発明の洗濯洗剤組成物に関連して、用語「液体」は、このような分散液、ゲル、ペーストなどの形態を包含する。液体組成物は、好適に細分された形態の気体を含んでもよい。しかし、液体組成物は、錠剤又は顆粒などの全体が非液体である形態を除外する。
【０００９】
用語「液体洗濯洗剤組成物」とは、家庭用洗濯機で布地を濡らし、処理することができる、例えば、衣類を洗浄することができる液体を含む任意の洗濯洗剤組成物を指す。
【００１０】
液体組成物は、単位用量物品に処方され得る。本発明の単位用量物品は、少なくとも１つの区画に液体組成物を完全に封入する水溶性フィルムを含む。好適な単位用量物品については、以下でより詳細に説明する。
【００１１】
液体洗濯洗剤組成物は、完全に処方された消費者製品として使用してもよく、又は１つ以上の更なる成分に添加して、完全に処方された消費者製品を形成してもよい。液体洗濯洗剤組成物は、布地を洗浄液に加える前に、布地、好ましくは布地のしみに加える「前処理」組成物であってもよい。
【００１２】
本発明の組成物は、当該組成物の０．００１重量％〜５重量％の、アルデヒド含有芳香剤材料、ケトン含有芳香剤材料、又はこれらの混合物を含む。好適なアルデヒド含有芳香剤材料及びケトン含有芳香剤材料については、以下でより詳細に説明する。
【００１３】
液体洗濯洗剤組成物は、当該組成物の１０重量％〜３０重量％の直鎖アルキルベンゼンスルホネートを含む。
【００１４】
好ましくは、液体洗濯洗剤組成物は、当該液体洗濯洗剤組成物の１０重量％未満、又は更には５重量％未満、又は更には２重量未満のアミン中和アニオン性界面活性剤を含み、当該アニオン性界面活性剤は、好ましくは、直鎖アルキルベンゼンスルホネート、アルキルサルフェート、及びこれらの混合物を含む群から選択される。
【００１５】
液体洗濯洗剤組成物は、当該組成物の０．５重量％〜２０重量％の水を含み、２０℃で６５％未満の平衡相対湿度を有し得る。
【００１６】
当該組成物は、その組成物の５重量％未満のヒドロキシル含有アミン化合物を含む。好適なアミンについては、以下でより詳細に説明する。
【００１７】
液体洗濯洗剤組成物は、界面活性剤を含み得る。好適な界面活性剤については、以下でより詳細に説明する。
【００１８】
本発明の液体洗濯洗剤組成物は、補助成分を含み得る。
【００１９】
好ましくは、液体洗濯洗剤組成物は、１０００ｓ−１の剪断速度で３００ｍＰａ・ｓ〜７００ｍＰａ・ｓ、より好ましくは３５０ｍＰａ・ｓ〜６００ｍＰａ・ｓの粘度を有する。粘度を測定するための例示的な方法は、製造業者の説明書に従って、２０℃で１０００μｍのギャップを使用してＴＡ  ｉｎｓｔｒｕｍｅｎｔｓ製のレオメータＤＨＲ１を使用することである。
【００２０】
アルデヒド及びケトン
本発明の組成物は、当該組成物の０．０１重量％〜５重量％、又は更には０．００２重量％〜４重量％、又は更には０．００５重量％〜３重量％、又は更には０．１重量％〜２重量％の、アルデヒド含有芳香剤材料、ケトン含有芳香剤材料、又はこれらの混合物を含む。
【００２１】
アルデヒド含有材料は、水素原子に結合しているカルボニル基を有することを特徴とする有機化合物である。
【００２２】
ケトン含有材料は、２つの炭素原子に結合しているカルボニル基を有することを特徴とする有機化合物である。
【００２３】
本発明のアルデヒド及びケトン含有材料は、芳香剤材料であることも必要とする。芳香剤材料は、ヒトの大部分によって知覚され得る匂いを有するものである。好ましくは、アルデヒド含有及びケトン含有芳香剤材料は、７５〜４５０、又は更には８０〜４００、又は更には８５〜３５０の分子量範囲を有する。好ましくは、アルデヒド含有及びケトン含有芳香剤材料は、０．２５〜７、又は更には０．５〜６．７５、又は更には０．７５〜６．５のｌｏｇＰを有する。好ましくは、アルデヒド含有及びケトン含有芳香剤材料は、２５℃で３．３×１０−３〜１．３×１０４（２．５×１０−５〜９．５×１０１）のＰａ（ｍｍＨｇ）の蒸気圧を有する。
【００２４】
アルデヒド又はケトン含有芳香剤材料は、（２Ｅ，６Ｅ）−ノナ−２，６−ジエナール、２，６，１０−トリメチルウンデカ−９−エナール；１−メチル−４−（４−メチルペンタ−３−エニル）シクロヘキサ−３−エン−１−カルバルデヒド；（Ｅ）−１−（２，６，６−トリメチル−１−シクロヘキサ−２−エニル）ブタ−２−エン−１−オン；（Ｅ）−４−（２，６，６−トリメチル−１−シクロヘキサ−２−エニル）ブタ−３−エン−２−オン；２−ベンジリデンヘプタナール；（Ｅ）−１−（２，６，６−トリメチル−１−シクロヘキセニル）ブタ−２−エン−１−オン；４−（２，６，６−トリメチルシクロヘキサン−１−イル）ブタ−３−エン−２−オン；３−（４−ｔｅｒｔ−ブチルフェニル）プロパナール、（２Ｚ）−２−ベンジリデンヘキサナール；３−（４−メトキシフェニル）−２−メチルプロパナール；３，７−ジメチルオクタ−２，６−ジエナール；２−（３，７−ジメチルオクタ−６−エノキシ）アセトアルデヒド；３−（４−プロパン−２−イルフェニル）プロパナール；３−（４−プロパン−２−イルフェニル）ブタナール；（Ｅ）−１−（２，６，６−トリメチル−１−シクロヘキサ−１，３−ジエニル）ブタ−２−エン−１−オン；１−（２，６，６−トリメチル−１−シクロヘキサ−３−エニル）ブタ−２−エン−１−オン；４−エトキシ−３−ヒドロキシベンズアルデヒド；５−メチルヘプタ−２−エン−４−オン；３−（２−エチルフェニル）−２，２−ジメチルプロパナール；３−（３−イソプロピルフェニル）ブタナール；１−（５，５−ジメチル−１−シクロヘキセニル）ペンタ−４−エン−１−オン；（Ｅ）−３−メチル−４−（２，６，６−トリメチル−１−シクロヘキサ−２−エニル）ブタ−３−エン−２−オン；３−（１，３−ベンゾジオキソール−５−イル）−２−メチルプロパナール；１，３−ベンゾジオキソール−５−カルバルデヒド；２−（フェニルメチリデン）オクタナール；（Ｅ）−１−（２，４，４−トリメチルシクロヘキサ−２−エン−１−イル）ブタ−２−エン−１−オン；３−（４−メチル−１−シクロヘキサ−３−エニル）ブタナール；２，６−ジメチルへプタ−５−エナール；６−メチルヘプタ−５−エン−２−オン；メチルフェニル）メチリデン］ヘプタナール；５，５−ジメチル−２，３，４，４ａ，６，７−ヘキサヒドロ−１Ｈ−ナフタレン−２−カルバルデヒド；２−［２−（４−メチル−１−シクロヘキサ−３−エニル）プロピル］シクロペンタン−１−オン；２，４−ジメチルシクロヘキサ−３−エン−１−カルバルデヒド；ウンデカ−１０−エナール；４−ヒドロキシ−３−メトキシベンズアルデヒド；４−メトキシベンズアルデヒド、及びこれらの混合物を含む群から選択してよい。
【００２５】
アルデヒド又はケトン含有芳香剤材料は、好ましくは、（Ｅ）−１−（２，６，６−トリメチル−１−シクロヘキサ−２−エニル）ブタ−２−エン−１−オン；（Ｅ）−４−（２，６，６−トリメチル−１−シクロヘキサ−２−エニル）ブタ−３−エン−２−オン；（Ｅ）−１−（２，６，６−トリメチル−１−シクロヘキセニル）ブタ−２−エン−１−オン；４−（２，６，６−トリメチルシクロヘキサン−１−イル）ブタ−３−エン−２−オン；３，７−ジメチルオクタ−２，６−ジエナール；３−（４−プロパン−２−イルフェニル）ブタナール；（Ｅ）−１−（２，６，６−トリメチル−１−シクロヘキサ−１，３−ジエニル）ブタ−２−エン−１−オン；１−（２，６，６−トリメチル−１−シクロヘキサ−３−エニル）ブタ−２−エン−１−オン；４−エトキシ−３−ヒドロキシベンズアルデヒド；３−（２−エチルフェニル）−２，２−ジメチルプロパナール；３−（３−イソプロピルフェニル）ブタナール；１−（５，５−ジメチル−１−シクロヘキセニル）ペンタ−４−エン−１−オン；（Ｅ）−３−メチル−４−（２，６，６−トリメチル−１−シクロヘキサ−２−エニル）ブタ−３−エン−２−オン；１，３−ベンゾジオキソール−５−カルバルデヒド；２−（フェニルメチリデン）オクタナール；２，４−ジメチルシクロヘキサ−３−エン−１−カルバルデヒド；ウンデカ−１０−エナール；４−ヒドロキシ−３−メトキシベンズアルデヒド；４−メトキシベンズアルデヒド、及びこれらの混合物を含む群から選択してよい。
【００２６】
非アミン中和直鎖アルキルベンゼンスルホネート
液体洗濯洗剤組成物は、当該組成物の１０重量％〜３０重量％の非アミン中和直鎖アルキルベンゼンスルホネートを含む。好ましくは、直鎖アルキルベンゼンスルホネートは、層状液晶アルキルベンゼンスルホネートである。「層状液晶」とは、本明細書では、界面活性剤分子が、溶媒の薄層によって分離されている溶融状態の界面活性剤の二層の積層体に構築されている状態である系を意味する。この構造は、流動体の観点における液体特性及び構造化の観点における固体特性の両方を有する。この構造は、そのｄ−スペーシング、二層の厚さの合計、及びシート間の溶媒層によって特徴付けられる。この構造の繰り返し及び周期性によって、結晶相に特徴的な急峻なｘ線回折ピークが得られる。
【００２７】
液体洗濯洗剤組成物は、当該洗濯洗剤組成物の１５重量％〜２５重量％の直鎖アルキルベンゼンスルホネート、好ましくは、層状液晶アルキルベンゼンスルホネートを含み得る。
【００２８】
直鎖アルキルベンゼンスルホネートは、液体洗濯洗剤組成物で分散した固体の形態で存在し得る。「固体」とは、本明細書では、粒子、結晶、層状液晶、及びこれらの混合物を意味する。
【００２９】
非アミン中和直鎖アルキルベンゼンスルホネートは、アミン以外の中和物質を用いて、直鎖アルキルベンゼンスルホン酸が、対応する直鎖アルキルベンゼンスルホネートに中和されているものである。このような中和基の非限定的な例としては、ナトリウム、カリウム、アンモニウム、及びこれらの混合物が挙げられる。非アミン中和直鎖アルキルベンゼンスルホネートは、直鎖アルキルベンゼンスルホン酸ナトリウム、アルキルベンゼンスルホン酸カリウム、アルキルベンゼンスルホン酸マグネシウム、又はこれらの混合物であってよい。
【００３０】
非アミン中和直鎖アルキルベンゼンスルホネートは、Ｃ１０〜Ｃ１６直鎖アルキルベンゼンスルホネート若しくはＣ１１〜Ｃ１４直鎖アルキルベンゼンスルホネート、又はこれらの混合物であってよい。
【００３１】
例示的な直鎖アルキルベンゼンスルホネートは、Ｃ１０〜Ｃ１６アルキルベンゼンスルホン酸又はＣ１１〜Ｃ１４アルキルベンゼンスルホン酸である。「直鎖」とは、本明細書では、アルキル基が直鎖状であることを意味する。アルキルベンゼンスルホネートは、当該技術分野において周知である。特に有用なのは、アルキル基の炭素原子の平均数が約１１〜１４である、直鎖線状アルキルベンゼンスルホン酸ナトリウム、カリウム、及びマグネシウムである。
【００３２】
液体洗濯洗剤組成物は、アミン中和直鎖アルキルベンゼンスルホネートを含み得る。好ましくは、液体洗濯洗剤組成物は、当該液体洗濯洗剤組成物の１０重量％未満、又は更には５重量％未満、又は更には３重量％未満のアミン中和直鎖アルキルベンゼンスルホネートを含む。
【００３３】
液体洗濯洗剤組成物は、非アミン中和直鎖アルキルベンゼンスルホネート及びアミン中和直鎖アルキルベンゼンスルホネートを含み得る。液体洗濯洗剤組成物は、当該組成物の１０重量％〜３０重量％の非アミン中和直鎖アルキルベンゼンスルホネート、好ましくは、アルカリ土類金属非アミン中和直鎖アルキルベンゼンスルホネートと、当該液体洗濯洗剤組成物の１０重量％未満、又は更には５重量％未満、又は更には３重量％未満のアミン中和直鎖アルキルベンゼンスルホネート、好ましくは、モノエタノールアミン直鎖アルキルベンゼンスルホネート、トリエタノールアミン直鎖アルキルベンゼンスルホネート、又はこれらの混合物とを含み得る。
【００３４】
アルコール
液相は、当該組成物の５重量％〜４０重量％、又は更には５重量％〜２０重量％、又は更には５重量％〜１５重量％のアルコールを含み、当該アルコールは、２０〜４００の分子量を有し、かつアルコールｅＲＨ試験を介して測定したときに２０℃で５０％〜８０％、又は更には５２％〜７５％のｅＲＨを有する。
【００３５】
アルコールｅＲＨ試験は、脱イオン水中８０％アルコールの溶液を調製する工程と、続いて、室温（２０℃＋／−１℃）で、較正したＲｏｔｒｏｎｉｃ  Ｈｙｇｒｏｌａｂ  ｍｅｔｅｒ（深さ１４ｍｍのプラスチックサンプルライナにおいて）にこれを添加する工程と、これを２５分間較正する工程と、最後に、記録されたｅＲＨを測定する工程とを含む。用いたサンプルの体積は、プラスチックサンプルライナを充填するのに十分であった。
【００３６】
「アルコール」とは、本明細書では、全てまとめたとき、それぞれが２０〜４００の分子量を有し、かつｅＲＨ試験を介して測定したときに２０℃で５０％〜８０％の、化合物又は混合物の全体ｅＲＨを有する、単一化合物又は化合物の混合物のいずれかを意味する。理論に束縛されるものではないが、アルコールは、少なくとも１つのＯＨ単位、好ましくはポリオール及びジオール、より好ましくはジオールを含む任意の化合物である。好ましいジオールとしては、グリコールが挙げられる。
【００３７】
アルコールは、エチレングリコール、１，３プロパンジオール、１，２プロパンジオール、テトラメチレングリコール、ペンタメチレングリコール、ヘキサメチレングリコール、２，３−ブタンジオール、１，３ブタンジオール、ジエチレングリコール、トリエチレングリコール、ポリエチレングリコール、グリセロールホルマルジプロピレングリコール、ポリプロピレングリコール、ジプロピレングリコールｎ−ブチルエーテル、及びこれらの混合物を含む群から選択され得る。
【００３８】
アルコールは、エチレングリコール、１，２プロパンジオール、２，３−ブタンジオール、１，３ブタンジオール、トリエチレングリコール、ポリエチレングリコール、グリセロールホルマルジプロピレングリコール、ポリプロピレングリコール、ジプロピレングリコールｎ−ブチルエーテル、及びこれらの混合物を含む群から選択され得る。
【００３９】
より好ましくは、アルコールは、１，２プロパンジオール、ジプロピレングリコール、ポリプロピレングリコール、２，３−ブタンジオール、ジプロピレングリコールｎ−ブチルエーテル、及びこれらの混合物を含む群から選択される。
【００４０】
アルコールは、１，２プロパンジオール、ジプロピレングリコール、ポリプロピレングリコール、ジプロピレングリコールｎ−ブチルエーテル、及びこれらの混合物を含む群から選択され得る。
【００４１】
アミン
洗剤組成物は、当該組成物の５重量％未満のヒドロキシル含有アミン化合物、又は更には当該組成物の０．１重量％〜５重量％、又は更には０．１重量％〜４重量％のヒドロキシル含有アミン化合物を含む。「ヒドロキシル含有アミン化合物」とは、本明細書では、アルコール（ＯＨ）基及びアミン基を含む化合物を意味する。ヒドロキシル含有アミン化合物は、モノエタノールアミン、トリエタノールアミン、ジイソプロパノールアミン、トリイソプロパノールアミン、モノアミノヘキサノール、２−［（２−メトキシエチル）メチルアミノ］−エタノール、プロパノールアミン、Ｎ−メチルエタノールアミン、ジエタノールアミン、モノブタノールアミン、イソブタノールアミン、モノペンタノールアミン、１−アミノ−３−（２−メトキシエトキシ）−２−プロパノール、２−メチル−４−（メチルアミノ）−２−ブタノール、６−アミノ−１−ヘキサノール、ヘプタミノール、イソエタリン、ノルエピネフリン、スフィンゴシン、フェニルプロパノールアミン、及びこれらの混合物から選択され得る。
【００４２】
ヒドロキシル含有アミン化合物は、モノエタノールアミン、トリエタノールアミン、及びこれらの混合物を含む群から選択され得る。
【００４３】
好ましくは、ヒドロキシル含有アミン化合物は、５００未満、又は更には２５０未満の分子量を有する。
【００４４】
洗剤組成物は、他のアミン含有化合物を含み得る。
【００４５】
他の非アミン中和アニオン性界面活性剤
液体洗濯洗剤組成物は、他の非アミン中和アニオン性界面活性剤、好ましくは、非アミン中和アルキルサルフェート、より好ましくは、非アミン中和エトキシ化アルキルサルフェートを含み得る。非アミン中和アニオン性界面活性剤は、非アミン中和アルキルサルフェート、非アミン中和エトキシ化アルキルサルフェート、又はこれらの混合物を含み得る。好ましくは、非アミン中和アルキルサルフェートアニオン性界面活性剤は、層状液晶アルキルサルフェートアニオン性界面活性剤である。非アミン中和アニオン性界面活性剤は、層状液晶アルキルサルフェート、層状液晶エトキシ化アルキルサルフェート、又はこれらの混合物を含み得る。
【００４６】
液体洗濯洗剤組成物は、当該洗濯洗剤組成物の１０重量％〜３０重量％、又は更には１５重量％〜２５重量％の、非アミン中和アルキルサルフェートアニオン性界面活性剤、好ましくは、層状液晶非アミン中和アルキルサルフェートアニオン性界面活性剤を含み得る。
【００４７】
非アミン中和アルキルサルフェートアニオン性界面活性剤は、液体洗濯洗剤組成物内に分散した固体の形態で存在し得る。「固体」とは、本明細書では、粒子、結晶、層状液晶、及びこれらの混合物を意味する。
【００４８】
非アミン中和非アミン中和アルキルサルフェートアニオン性界面活性剤は、アミン以外の中和物質を用いて、界面活性剤酸が、対応する塩に中和されているものである。このような中和基の非限定的な例としては、ナトリウム、カリウム、マグネシウム、及びこれらの混合物が挙げられる。非アミン中和アルキルサルフェートアニオン性界面活性剤は、アルキル硫酸ナトリウムアニオン性界面活性剤、アルキル硫酸カリウムアニオン性界面活性剤、アルキル硫酸マグネシウムアニオン性界面活性剤、又はこれらの混合物であってよい。
【００４９】
アルキルサルフェートアニオン性界面活性剤は、エトキシ化されていてもよく、エトキシ化されていなくてもよく、又はこれらの混合物であってもよい。
【００５０】
非アミン中和アルキルサルフェートアニオン性界面活性剤は、好ましくは平均エトキシ化度が１〜５、より好ましくは１〜３である、エトキシ化非アミン中和アルキルサルフェートアニオン性界面活性剤であってよい。エトキシ化非アミン中和アルキルサルフェートアニオン性界面活性剤は、１若しくは３の平均エトキシ化度を有し得るか又はこれらの混合物であってよく、好ましくは、エトキシ化非アミン中和アルキルサルフェートアニオン性界面活性剤は、１の平均エトキシ化度を有する。
【００５１】
非アミン中和アルキルサルフェートアニオン性界面活性剤は、Ｃ１０〜１８アルキルサルフェート、好ましくはＣ１０〜１８エトキシ化アルキルサルフェート、最も好ましくは１〜５の平均エトキシ化度を有するＣ１０〜１８エトキシ化アルキルサルフェートであってよい。
【００５２】
アルキルサルフェートアニオン性界面活性剤は、エトキシ化されていてもよく、エトキシ化されていなくてもよく、又はこれらの混合物であってもよい。アルキルサルフェートアニオン性界面活性剤は、主にＣ１２アルキルサルフェートを含む、Ｃ１０〜Ｃ２０一級分枝鎖及びランダムアルキルサルフェート（ＡＳ）であってよい。あるいは、アルキルサルフェートアニオン性界面活性剤は、Ｃ１０〜Ｃ１８二級（２，３）アルキルサルフェートであってよい。あるいは、アルキルサルフェートアニオン性界面活性剤は、Ｃ１０〜Ｃ１８アルキルエトキシサルフェート（ＡＥｘＳ）（ｘは１〜３０である）であってよい。あるいは、アルキルサルフェートアニオン性界面活性剤は、全ての上記アルキルサルフェートアニオン性界面活性剤の混合物であってよい。アルキルサルフェートアニオン性界面活性剤についての好適なカチオンの非限定的な例としては、ナトリウム、カリウム、アンモニウム、アミン、及びこれらの混合物が挙げられる。
【００５３】
非イオン性界面活性剤
液体洗濯洗剤組成物は、非イオン性界面活性剤を含み得る。
【００５４】
非イオン性界面活性剤は、天然又は合成的に誘導された非イオン性界面活性剤であってよい。好ましくは、非イオン性界面活性剤は、天然又は合成的に誘導された脂肪族アルコールエトキシレート非イオン性界面活性剤を含む。好ましい合成的に誘導された脂肪族アルコールエトキシレート非イオン性界面活性剤、又はオキソ合成プロセスから誘導されたもの、すなわち、いわゆるオキソ合成非イオン性界面活性剤。上記の組成物は、当該組成物の０重量％〜３０重量％、又は更には０．１重量％〜２５重量％の脂肪族アルコールエトキシレート非イオン性界面活性剤を含み得る。
【００５５】
エトキシ化非イオン性界面活性剤は、例えば、一級及び二級アルコールエトキシレート、特にアルコール１モル当たり平均１〜５０モル、又は更には２０モルのエチレンオキシドでエトキシ化されたＣ８〜Ｃ２０脂肪族アルコール、より特にアルコール１モル当たり平均１〜１０モルのエチレンオキシドでエトキシ化されたＣ１０〜Ｃ１５一級及び二級脂肪族アルコールであってよい。
【００５６】
エトキシ化アルコール非イオン性界面活性剤は、例えば、３〜８モルのエチレンオキシドと、１モルの、９〜１５個の炭素原子を有する一級アルコールとの縮合生成物であり得る。
【００５７】
非イオン性界面活性剤は、式Ｒ（ＥＯ）ｎ（式中、Ｒは、４〜３０個の炭素原子のアルキル鎖を表し、（ＥＯ）は、エチレンオキシドモノマーの１単位を示し、ｎは、０．５〜２０の平均値を有する）の脂肪族アルコールエトキシレートを含み得る。
【００５８】
上記の組成物は、他の非イオン性界面活性剤、好ましくは、天然又は合成非イオン性界面活性剤を含み得る。
【００５９】
構造化剤
本発明の組成物は、当該組成物の２重量％未満の構造化剤を含み得る。構造化剤が存在する場合、好ましくは、当該組成物は、０．０５重量％〜２重量％、好ましくは０．１重量％〜１重量％の構造化剤を含む。構造化剤は、非ポリマー構造化剤又はポリマー構造化剤から選択され得る。構造化剤は、非ポリマー構造化剤、好ましくは、結晶化可能なグリセリドであり得る。構造化剤は、ポリマー構造化剤、好ましくは、繊維系ポリマー構造化剤、より好ましくは、セルロース繊維系構造化剤であり得る。構造化剤は、結晶化可能なグリセリド、セルロース繊維系構造化剤、ＴｉＯ２、シリカ、及びこれらの混合物から選択され得る。
【００６０】
好適な構造化剤は、好ましくは、十分な降伏応力又は低剪断粘度を付与して、組成物の洗浄性界面活性剤の任意の構造化効果とは独立に、すなわち、当該効果以外によって液体洗濯洗剤組成物を安定化させる成分である。好ましくは、構造化剤は、液体洗濯洗剤組成物に２１℃、２０ｓｅｃ−１にて１〜１５００ｃｐｓの高剪断粘度、及び５０００ｃｐｓを超える低剪断粘度（２１℃、０．０５ｓｅｃ−１にて）を付与する。粘度は、直径４０ｍｍの平板鋼製スピンドル及びギャップサイズ５００μｍを用いて、ＴＡ  ｉｎｓｔｒｕｍｅｎｔｓ製のＡＲ  ５５０レオメータを使用して測定される。２０ｓ−１における高剪断粘度及び０．５ｓ−１における低剪断粘度は、２１℃で３分間の対数剪断速度掃引０．１−１〜２５−１から得ることができる。
【００６１】
上記の組成物は、非ポリマー結晶質ヒドロキシル官能性構造化剤を含み得る。このような非ポリマー結晶質ヒドロキシル官能性構造化剤は、一般に、結晶化可能なグリセリドを含み、これは、最終的な液体洗濯洗剤組成物への分散を支援するために予め乳化しておいてもよい。このような予め乳化された外部構造剤系の非限定的な例は、（ａ）結晶化可能なグリセリド；（ｂ）アニオン性界面活性剤；及び（ｃ）水、並びに任意に非アミノ官能性有機溶媒を含む。これら各構成成分については、以下に詳細に論じる。
【００６２】
構造化剤は、結晶化可能なグリセリド、好ましくは、硬化ヒマシ油、すなわち「ＨＣＯ」を含むポリマー結晶質ヒドロキシ官能性構造化剤であってよい。ＨＣＯは、本明細書で使用するとき、最も一般的には、非ポリマー結晶質ヒドロキシ官能性構造化剤プレミックスにおいて結晶化することができる限り、任意の硬化ヒマシ油又はその誘導体であってよい。ヒマシ油としては、ヒドロキシル基を組み込むＣ１０〜Ｃ２２アルキル又はアルケニル部分を含む、グリセリド、特にトリグリセリドを挙げることができる。ＨＣＯを生成するために、ヒマシ油を水素化して、出発油中にリシノレイル部分として存在し得る二重結合を変換する。その結果、リシノレイル部分は、飽和ヒドロキシアルキル部分、例えば、ヒドロキシステアリルに変換される。本明細書におけるＨＣＯは、トリヒドロキシステアリン、ジヒドロキシステアリン、及びこれらの混合物から選択され得る。ＨＣＯは、固形、溶融物、及びこれらの混合物から選択されるものが挙げられるが、これらに限定されない任意の好適な出発形態で加工することができる。ＨＣＯは、典型的には、外部構造化系中に２重量％〜１０重量％、３重量％〜８重量％、又は４重量％〜６重量％の濃度で存在する。完成した洗濯洗剤製品に送達される硬化ヒマシ油の対応する百分率は、１．０％未満、典型的には０．１％〜０．８％であってよい。ＨＣＯは、洗濯洗剤組成物の０．０１重量％〜１重量％、又は更には０．０５重量％〜０．８重量％の濃度で存在し得る。
【００６３】
本発明で使用するＨＣＯとしては、市販されているものが挙げられる。本発明で使用する市販のＨＣＯの非限定的な例としては、Ｒｈｅｏｘ，Ｉｎｃ．製のＴＨＩＸＣＩＮ（登録商標）が挙げられる。有用なＨＣＯの更なる例は、米国特許第５，３４０，３９０号に見出すことができる。
【００６４】
硬化ヒマシ油の使用が好ましいが、任意の結晶化可能なグリセリドを本発明の範囲内で使用することができる。好ましい結晶化可能なグリセリドは、４０℃〜１００℃の融点を有する。
【００６５】
構造化剤は、繊維系構造化剤を含み得る。構造化剤は、典型的には高いアスペクト比（長さの断面寸法に対する比）を有する、ナノサイズのセルロースフィブリルから構成される材料であるミクロフィブリル化セルロース（ＭＦＣ）を含み得る。典型的な横方向寸法は、１〜１００又は５〜２０ナノメートルであり、長手方向寸法は、ナノメートル〜数マイクロメートルの広範囲にわたる。構造化の改善のために、ミクロフィブリル化セルロースは、好ましくは、５０〜２００，０００、より好ましくは、１００〜１０，０００の平均アスペクト比（ｌ／ｄ）を有する。ミクロフィブリル化セルロースは、細菌セルロース、柑橘類繊維、及び植物（例えば、テンサイ、チコリー根、ジャガイモ、ニンジンなど）を含む任意の好適な供給源に由来し得る。
【００６６】
構造化剤は、二酸化チタン、二酸化スズ、修飾ＴｉＯ２の任意の形態、ＴｉＯ２又は酸化第二スズ、オキシ塩化ビスマス又はオキシ塩化ビスマスでコーティングされたＴｉＯ２、シリカでコーティングされたＴｉＯ２又は金属酸化物でコーティングされたＴｉＯ２、及びこれらの混合物からなる群から選択され得る。修飾ＴｉＯ２は、炭素修飾ＴｉＯ２、金属ドープＴｉＯ２、又はこれらの混合物を含み得る。金属ドープＴｉＯ２は、白金ドープＴｉＯ２、ロジウムドープＴｉＯ２から選択され得る。
【００６７】
構造化剤は、シリカを含み得る。当業者は、使用するのに好適なシリカ物質を理解している。シリカは、ヒュームドシリカを含み得る。
【００６８】
水及び平衡相対湿度
液体洗濯洗剤組成物は、当該組成物の０．５重量％〜１５重量％の水を含む。液体洗濯洗剤組成物は、当該組成物の０．５重量％〜１２重量％、又は更には０．５重量％〜１０重量％の水を含み得る。
【００６９】
液体洗濯洗剤組成物は、２０℃で６５％未満の平衡相対湿度を有し得る。
【００７０】
当該組成物のｅＲＨを測定するのに好ましい方法は、組成物ｅＲＨ試験を介するものである。組成物ｅＲＨ試験は、室温（２０℃＋／−１℃）で、較正されたＲｏｔｒｏｎｉｃ  Ｈｙｇｒｏｌａｂ  ｍｅｔｅｒ（深さ１４ｍｍのプラスチックサンプルライナにおいて）に当該組成物のサンプルを添加する工程と、これを２５分間較正する工程と、最後に、記録されたｅＲＨを測定する工程とを含む。用いたサンプルの体積は、プラスチックサンプルライナを充填するのに十分であった。
【００７１】
補助成分
液体洗濯洗剤組成物は、当該組成物の２０重量％〜４０重量％の補助成分を含む。補助成分は、漂白剤、漂白触媒、染料、色調染料、アルコキシル化ポリアミン及びポリエチレンイミンを含む洗浄ポリマー、汚れ放出ポリマー、界面活性剤、溶媒、移染抑制剤、キレート剤、酵素、香料、カプセル化香料、ポリカルボキシレートポリマー、セルロースポリマー、及びこれらの混合物を含む群から選択され得る。
【００７２】
水溶性パウチ
液体洗濯洗剤組成物は、水溶性単位用量物品中に存在していてよい。このような実施形態では、水溶性単位用量物品は、単位用量物品が水溶性フィルムによって包囲された少なくとも１つの内部区画を含むような形状の少なくとも１枚の水溶性フィルムを含む。少なくとも１つの区画は、液体洗濯洗剤組成物を含む。水溶性フィルムは、保管中に液体洗濯洗剤組成物が区画から漏れ出さないように封止される。しかし、水溶性単位用量物品を水に添加すると、水溶性フィルムが溶解して、内部区画の内容物が洗浄液中へと放出される。
【００７３】
区画は、組成物を保持する、単位用量物品内の閉じた内部空間を意味すると理解されるべきである。好ましくは、単位用量物品は水溶性フィルムを含む。単位用量物品は、水溶性フィルムが組成物を完全に取り囲み、それによって組成物が存在する区画が画定されるように製造される。単位用量物品は、２枚のフィルムを含んでよい。第１のフィルムは、組成物が添加される開放された区画を含むような形状であってよい。次いで、区画の開口部を閉じるような配向で第１のフィルムを第２のフィルムで覆う。次いで、封止領域に沿って第１及び第２のフィルムを互いに封止する。フィルムについては、以下により詳細に説明する。
【００７４】
単位用量物品は、２つ以上の区画、更には少なくとも２つの区画、又は更には少なくとも３つの区画を含んでよい。区画は、重ね合わせ配向、すなわち、一方が他方の上に位置するように配置してよい。あるいは、区画は、並列配向、すなわち、一方が他方に隣接するように位置してもよい。更に、区画は、「タイヤとリム」の配置で配向してもよく、すなわち、第１の区画が第２の区画に隣接して位置するが、第１の区画が第２の区画を少なくとも部分的に取り囲むが、第２の区画を完全には封入しない。あるいは、１つの区画が別の区画内に完全に封入されていてもよい。
【００７５】
本発明のフィルムは、水溶性又は水分散性である。水溶性フィルムは、好ましくは２０〜１５０マイクロメートル、好ましくは３５〜１２５マイクロメートル、更により好ましくは５０〜１１０マイクロメートル、最も好ましくは約７６マイクロメートルの厚さを有する。
【００７６】
好ましくは、最大孔径２０マイクロメートルのガラスフィルターの使用後に本明細書に記載の方法によって測定したとき、フィルムは、少なくとも５０％、好ましくは少なくとも７５％、又は更には少なくとも９５％の水溶性を有する。
【００７７】
予め秤量した３Ｌのビーカーに、５グラム±０．１グラムのフィルム材料を添加し、２Ｌ±５ｍＬの蒸留水を添加する。これを、６００ｒｐｍに設定した、電磁攪拌器（Ｌａｂｌｉｎｅモデル番号１２５０又は等価物）及び５ｃｍの電磁式攪拌器上にて、３０℃で３０分間激しく攪拌する。次いで、この混合物を、上に定義した孔径（最大２０マイクロメートル）の折り畳まれた定性焼結ガラスフィルターで濾過する。回収した濾液から任意の従来の方法によって水を乾燥させ、残った材料の重量を測定する（これが溶解又は分散画分である）。次いで、溶解度又は分散度の割合を計算することができる。
【００７８】
好ましいフィルム材料は、好ましくは、ポリマー材料である。フィルム材料は、当該技術分野において既知であるとおり、例えば、ポリマー材料の注型成形、吹込成形、押出成形又は吹込押出成形によって得ることができる。
【００７９】
パウチ材料として使用するのに好適な好ましいポリマー、コポリマー、又はこれらの誘導体は、ポリビニルアルコール、ポリビニルピロリドン、ポリアルキレンオキシド、アクリルアミド、アクリル酸、セルロース、セルロースエーテル、セルロースエステル、セルロースアミド、ポリ酢酸ビニル、ポリカルボン酸及び塩、ポリアミノ酸又はペプチド、ポリアミド、ポリアクリルアミド、マレイン酸／アクリル酸のコポリマー、デンプン及びゼラチンを含む多糖類、キサンタン及びカラゴムなどの天然ゴムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにこれらの組み合わせから選択される。好ましくは、パウチ材料中のポリマー、例えば、ＰＶＡポリマーの濃度は、少なくとも６０％である。ポリマーは、任意の重量平均分子量を有していてよく、好ましくは、約１０００〜１，０００，０００、より好ましくは、約１０，０００〜３００，０００、更により好ましくは、約２０，０００〜１５０，０００である。
【００８０】
ポリマー混合物をパウチ材料として使用してもよい。
【００８１】
好ましいフィルムは、冷水、すなわち、加熱されていない蒸留水中で良好な溶解を呈するものである。好ましくは、このようなフィルムは、２４℃、更により好ましくは１０℃で良好な溶解を呈する。良好な溶解とは、上記のとおり、最大孔径２０マイクロメートルのガラスフィルターの使用後に本明細書に記載の方法によって測定したとき、フィルムが、少なくとも５０％、好ましくは少なくとも７５％、又は更には少なくとも９５％の水溶性を呈することを意味する。
【００８２】
好ましいフィルムは、Ｍｏｎｏｓｏｌによって商品参照番号Ｍ８６３０、Ｍ８９００、Ｍ８７７９、Ｍ８３１０として供給されているものである。
【００８３】
フィルムは、不透明、半透明又は透明であってよい。フィルムは、印刷された領域を含んでよい。
【００８４】
印刷領域は、フレキソ印刷又はインクジェット印刷などの標準的な技術を使用して得ることができる。好ましくは、印刷領域は、フレキソ印刷を介して得られ、この場合、フィルムは印刷された後、開口区画の形状に成形される。
【００８５】
フィルムは、例えば苦味剤などの嫌悪剤を含んでよい。好適な苦味剤としては、ナリンギン、オクタ酢酸スクロース、塩酸キニーネ、安息香酸デナトニウム、又はこれらの混合物が挙げられるが、これらに限定されない。任意の好適な濃度の嫌悪剤をフィルムに使用してよい。好適な濃度としては、１〜５０００ｐｐｍ、又は更には１００〜２５００ｐｐｍ、又は更には２５０〜２０００ｒｐｍが挙げられるが、これらに限定されない。
【００８６】
製造方法
本発明の液体洗濯洗剤組成物は、当該技術分野において既知の任意の好適な製造技術を使用して製造され得る。当業者であれば、本発明に係る組成物を製造するのに適切な方法及び機器を理解するであろう。
【００８７】
ＨＣＯプレミックスは、ＨＣＯを融解させ、小体積の温液体洗濯洗剤組成物（酵素も香料材料も含まない）に添加することによって形成され得る。次いで、ＨＣＯプレミックスを他の成分に添加して、液体洗濯洗剤組成物を形成する。
【００８８】
使用方法
本発明の組成物又は単位用量物品は、洗濯物が既に存在しているか、又は洗濯物が加えられる洗浄液に添加してよい。上記の組成物又は物品は、洗濯機の稼働中に使用してよく、ドラムに直接添加しても、引き出し式ディスペンサー（dispenser drawer）に添加してもよい。洗濯機は、自動洗濯機であっても、半自動洗濯機であってもよい。布地柔軟剤又はしみ除去剤などの他の洗濯洗剤組成物と組み合わせて使用してもよい。洗浄液に添加する前に、前処理組成物として、しみに使用してもよい。
【実施例】
【００８９】
以下の組成物を調製した：組成物Ａは、本発明に係る組成物であり、組成物Ｂは、現在販売されているものを代表する比較組成物である。
【００９０】
【表１】
2018517040.tif 000002
【００９１】
上記組成物に、以下の香料を添加した。
【００９２】
香料Ａは、１２．７５重量％のアルデヒドの香料Ａ及び６．４５重量％のケトンの香料Ａを含んでいた。
【００９３】
香料Ｂは、１１．１重量％のアルデヒドの香料Ｂ及び１４．５重量％のケトンの香料Ｂを含んでいた。
【００９４】
香料Ｃは、０．６重量％のアルデヒドの香料Ｃ及び１．７重量％のケトンの香料Ｃを含んでいた。
【００９５】
様々な組成物及び香料の組み合わせの色安定性を経時的に試験した。試験サンプルを５０℃で２週間エージングすることによって、液体洗濯洗剤組成物の色安定性を試験した。未処理のサンプル及びエージングしたサンプルの色を、ＨｕｎｔｅｒＬａｂによるＣｏｌｏｒＱｕｅｓｔ  ＸＥ分光光度計を用いて測定し、Ｌ＊、ａ＊−、及びｂ＊−値を得た。未処理及び２週間で分光光度測定を実施した。サンプルの写真を同じ間隔で撮影した。
【００９６】
測定される製品の温度は、１８℃〜２５℃であった。一定温度の室内でエージングしたサンプルは、測定前に一晩放置して平衡化させた。ＶＷＲ、又は同規格で他の供給元によって製造された、容量２．５〜４ｍＬ、外寸：１２．５×１２．５×４５ｍｍ及び内寸：１０×１０×４５ｍｍの光路１０ｍｍの使い捨てポリスチレン（ＰＳ）マクロキュベットを使用した。キュベットは、２つの異なる側面を有している：不透明又はその上に矢印を有する透明。光が透明側を通過する必要があるので、キュベットを矢印に合わせて光ビームの光路に配置しなければならない。製品を小さなキュベットに慎重に（気泡を避けるため）充填した。サンプルは、一貫した結果を得るために測定ポートを完全に覆わなければならない。色を測定する前に、液体中の気泡を除去することが必須である。遠心分離を用いて気泡を除去した：製品をＥｐｐｅｎｄｏｒｆ  ５７０２又は等価な機器において２５００ｒｐｍで５分間遠心分離した。遠心分離する体積は、使用中の管に依存していた。最小体積１５ｍＬが必要である。最大充填レベルは、遠心管の３／４を超えてはならない。処方中に乳白剤、シリコーン及び／又は香料マイクロカプセルが存在する場合、試験は反射モードで実施する必要がある。調製、安定化及び測定は、機器の説明書に従って実施した。
【００９７】
サンプルの透過又は反射した色を、ＨｕｎｔｅｒＬａｂによって製造されたＣｏｌｏｒＱｕｅｓｔ  ＸＥ分光光度計を用いて測定した。機器は、サンプル上に光を発射するために白線が引かれた拡散積分球を使用する。サンプルのスペクトルを機器によって収集し、ソフトウェアでスペクトルデータをＣＩＥ  Ｌ＊、ａ＊、ｂ＊、及びΔＥ＊２０００（式中、Ｌ＊はサンプルの明度であり、ａ＊はサンプルの赤色度又は緑色度であり、ｂ＊はサンプルの黄色度又は青色度である）の値に変換する。ΔＥ＊２０００は、標準サンプル、又は消費者に関連するデータに基づいて知覚可能若しくは許容可能な色差についての許容差を与えるＬ＊、ａ＊、ｂ＊色度標準の色差である。機器の性能は、ＨｕｎｔｅｒＬａｂによって供給されている較正タイルを用いて、色度計の通常の標準化によって確認する。
【００９８】
異なる香料組成を有する組成物Ａ及びＢについて、未処理及び５０℃で２週間エージングした後の色の安定性を測定した。エージング後の結果を未処理サンプルの色測定値と比較し、色の差を記録した。結果は、表２で見ることができる。
【００９９】
【表２】
2018517040.tif 000003
【０１００】
表２から分かるとおり、試験した全ての香料組成物について、本発明に係る組成物Ａは、同じ香料を含む組成物Ｂよりも、未処理サンプルに比べて低いレベルの変色を示した。
【０１０１】
本明細書に開示した寸法及び値は、記載された正確な数値に厳密に限定されるものと理解されるべきではない。むしろ、特に指示がない限り、そのような各寸法は、記載された値及びその値の周辺の機能的に同等の範囲の両方を意味するものとする。例えば「４０ｍｍ」として開示される寸法は、「約４０ｍｍ」を意味するものとする。
【国際調査報告】
2018517040.tif 000004
2018517040.tif 000005